【手続補正書】
【提出日】平成23年3月2日(2011.3.2)
【手続補正１】
【補正対象書類名】特許請求の範囲
【補正対象項目名】全文
【補正方法】変更
【補正の内容】
【特許請求の範囲】
【請求項１】
式Ｉまたは式ＩＩ
【化１】
2011506617.tif 000001
（式中：
Ｒ１およびＲ２が、同じかまたは異なっており、水素、アルコキシ、第三級アルキル、およびシクロアルキルからなる群から選択され、
Ｒ３およびＲ４が、同じかまたは異なっており、フッ素、アリール、およびアルキルからなる群から選択される）
を有する緑色発光材料。
【請求項２】
Ｒ１およびＲ２の少なくとも一方が水素でない請求項１に記載の発光材料。
【請求項３】
Ｒ１およびＲ２の少なくとも一方が、メトキシ、エトキシ、ｔ−ブチル、ネオペンチル、１−メチルシクロヘキシル、および１−アダマンチルからなる群から選択される請求項１に記載の発光材料。
【請求項４】
化合物Ｇ１〜Ｇ１２からなる群から選択される請求項１に記載の発光材料。
【表１】
2011506617.tif 000002
【請求項５】
第１の電気接点と、第２の電気接点と、それらの間の光活性層とを含む有機電子デバイスであって、前記光活性層が、式Ｉまたは式ＩＩ
【化２】
2011506617.tif 000003
（式中：
Ｒ１およびＲ２が、同じかまたは異なっており、水素、アルコキシ、第三級アルキル、およびシクロアルキルからなる群から選択され、
Ｒ３およびＲ４が、同じかまたは異なっており、フッ素、アリール、およびアルキルからなる群から選択される）
を有する緑色発光材料を含む有機電子デバイス。
【請求項６】
Ｒ１およびＲ２の少なくとも一方が水素でない請求項５に記載の有機電子デバイス。
【請求項７】
Ｒ１およびＲ２の少なくとも一方が、メトキシ、エトキシ、ｔ−ブチル、ネオペンチル、１−メチルシクロヘキシル、および１−アダマンチルからなる群から選択される請求項５に記載の有機電子デバイス。
【請求項８】
前記発光材料が、化合物Ｇ１〜Ｇ１２からなる群から選択される請求項５に記載の有機電子デバイス。
【表２】
2011506617.tif 000004
【請求項９】
前記光活性層が、ホスト材料をさらに含む請求項５に記載の有機電子デバイス。
【請求項１０】
前記ホスト材料が、少なくとも１つのジアリールアントラセンを含む請求項９に記載の有機電子デバイス。
【請求項１１】
前記ジアリールアントラセンが、下式：
【化３】
2011506617.tif 000005
（式中：
Ａ１およびＡ２が、出現するごとに同じかまたは異なっており、Ｈ、芳香族基、およびアルケニル基からなる群から選択され、またはＡが、１つまたは複数の縮合芳香環であってもよく；
ｐおよびｑが、同じかまたは異なっており、１〜３の整数である）
を有する請求項１０に記載の有機電子デバイス。
【請求項１２】
Ａ１およびＡ２の少なくとも一方がナフチル基を含む請求項１１に記載の有機電子デバイス。
【請求項１３】
前記ホスト材料が、
【化４】
2011506617.tif 000006
およびそれらの組み合わせ
からなる群から選択される請求項１２に記載の有機電子デバイス。
【請求項１４】
請求項１の緑色発光材料を含む光活性層。
【請求項１５】
少なくとも１つのジアリールアントラセンを含むホスト材料をさらに含む請求項１４に記載の光活性層。
【手続補正２】
【補正対象書類名】明細書
【補正対象項目名】０２２５
【補正方法】変更
【補正の内容】
【０２２５】
別々の実施形態の文脈において、明確にするために本明細書に記載されている特定の複数の特徴は、１つの実施形態の中で組み合わせても提供できることを理解されたい。逆に、簡潔にするため１つの実施形態の文脈において説明した種々の特徴も、別々に提供したり、あらゆる副次的な組み合わせで提供したりすることができる。
以下に、本発明の好ましい態様を示す。
［１］  式Ｉまたは式ＩＩ
【化５】
2011506617.tif 000007
（式中：
Ｒ1およびＲ2が、同じかまたは異なっており、水素、アルコキシ、第三級アルキル、およびシクロアルキルからなる群から選択され、
Ｒ3およびＲ4が、同じかまたは異なっており、フッ素、アリール、およびアルキルからなる群から選択される）
を有する緑色発光材料。
［２］  Ｒ1およびＲ2の少なくとも一方が水素でない［１］に記載の発光材料。
［３］  Ｒ1およびＲ2の少なくとも一方が、メトキシおよびエトキシからなる群から選択されるアルコキシ基である［１］に記載の発光材料。
［４］  Ｒ1およびＲ2の少なくとも一方が、ｔ−ブチルおよびネオペンチルからなる群から選択される第三級アルキル基である［１］に記載の発光材料。
［５］  Ｒ1およびＲ2の少なくとも一方が、シクロヘキシル、１−メチルシクロヘキシル、および１−アダマンチルからなる群から選択されるシクロアルキルである［１］に記載の発光材料。
［６］  化合物Ｇ１〜Ｇ１２からなる群から選択される［１］に記載の発光材料。
【表３】
2011506617.tif 000008
［７］  第１の電気接点と、第２の電気接点と、それらの間の光活性層とを含む有機電子デバイスであって、前記光活性層が、式Ｉまたは式ＩＩ
【化６】
2011506617.tif 000009
（式中：
Ｒ1およびＲ2が、同じかまたは異なっており、水素、アルコキシ、第三級アルキル、およびシクロアルキルからなる群から選択され、
Ｒ3およびＲ4が、同じかまたは異なっており、フッ素、アリール、およびアルキルからなる群から選択される）
を有する緑色発光材料を含む有機電子デバイス。
［８］  Ｒ1およびＲ2の少なくとも一方が水素でない［７］に記載のデバイス。
［９］  Ｒ1およびＲ2の少なくとも一方が、メトキシおよびエトキシからなる群から選択されるアルコキシ基である［７］に記載のデバイス。
［１０］  Ｒ1およびＲ2の少なくとも一方が、ｔ−ブチルおよびネオペンチルからなる群から選択される第三級アルキル基である［７］に記載のデバイス。
［１１］  Ｒ1およびＲ2の少なくとも一方が、シクロヘキシル、１−メチルシクロヘキシル、および１−アダマンチルからなる群から選択されるシクロアルキルである［７］に記載のデバイス。
［１２］  前記発光材料が、化合物Ｇ１〜Ｇ１２からなる群から選択される［７］に記載のデバイス。
【表４】
2011506617.tif 000010
［１３］  前記光活性層が、ホスト材料をさらに含む［７］に記載のデバイス。
［１４］  前記ホスト材料が、少なくとも１つのジアリールアントラセンを含む［１３］に記載のデバイス。
［１５］  前記ジアリールアントラセンが、下式：
【化７】
2011506617.tif 000011
（式中：
Ａ1およびＡ2が、出現するごとに同じかまたは異なっており、Ｈ、芳香族基、およびアルケニル基からなる群から選択され、またはＡが、１つまたは複数の縮合芳香環であってもよく；
ｐおよびｑが、同じかまたは異なっており、１〜３の整数である）
を有する［１４］に記載のデバイス。
［１６］  Ａ1およびＡ2の少なくとも一方がナフチル基を含む［１５］に記載のデバイス。
［１７］  前記ホストが、
【化８】
2011506617.tif 000012
およびそれらの組み合わせ
からなる群から選択される［１６］に記載のデバイス。
［１８］  ［１］の緑色発光材料を含む光活性層。
［１９］  少なくとも１つのジアリールアントラセンを含むホスト材料をさらに含む［１８］に記載の光活性層。